(57)【要約】【課題】従来のアナログ式車速計は、車速０から最高速までの範囲を一つの目盛りで表示する構成であるので、全車速域に亘って目盛り巾が均等となり、特に低速域で作業走行する農作業車等では、低速域の目盛りが細かく知ることができず不向きであった。【解決手段】指針２を回動させるアナログ式車速計３において、路上走行を想定した高速表示用の目盛り１Ｈと、作業走行を想定した中速、低速表示用の目盛り１Ｍ，１Ｌを、メーターパネル４上に内外に重ねて表示する。該中速、低速表示用の目盛り１Ｍ，１Ｌは、１単位あたりの表示幅を、高速表示用の目盛り１Ｈより拡大し、それぞれ走行時に表示する０値から最大値までの範囲で目盛り表示する。【選択図】  図１
2006069242.tif 000002
【特許請求の範囲】
【請求項１】
複数の走行用変速装置（５ａ，５ｂ）を備え、車両の表示部（４）に車速値を半円状または扇状に刻んだ目盛り（１）を用いて表示し、車両の車速に応じて指針（２）を前記目盛り（１）に沿って回動させることで車速を表示する作業車両の車速計において、前記表示部（４）に路上走行を想定した高速用車速値の目盛り（１Ｈ）を表示し、この同芯円外側に、作業走行を想定した低速用車速値の目盛り（１Ｌ）を重ねて表示したことを特徴とする作業車両の車速計。
【請求項２】
前記同芯円上に重ねて表示した目盛り（１）は、最も減速比の大きい変速装置の変速段数に合わせて複数重ねて表示したことを特徴とする請求項１に記載の作業車両の車速計。
【発明の詳細な説明】
【技術分野】
【０００１】
この発明は、作業車両の車速計の構成に関する。
【背景技術】
【０００２】
従来、車両には、アナログ式、或いはデジタル式の車速計が備えられ、この内、アナログ式車速計の一般的な構成は、メータパネルの略中心部に指針を設け、この指針先端部の回転軌跡に沿って、半円状若しくは扇状に車速値を刻む目盛りを表記する構成となっている（特許文献１参照）。
【特許文献１】特開平5-338467号公報
【特許文献２】特開平6-320989号公報
【発明の開示】
【発明が解決しようとする課題】
【０００３】
上記した従来公知のアナログ式の車速計は、前記目盛りの左端を停止状態を示す車速０位置とし、右端を最高速値に設定するものであり、伝動機構の一部の回転をワイヤー、或いは電磁ピックアップセンサにて検出し、この回転速に応じて前記指針を回動させて車速値を指し示す構成となっている。
【０００４】
しかしながら農業用、或いは運搬、建築用の所謂作業車両には、主変速装置、及び副変速装置、更には超低速用変速装置といった複数の変速装置を備える構成となっており、作業時に使用する車速域と、路上移動時に利用する車速域が大きく異なり、前記のように同一円周上に目盛りを表記し、この左端を車速０とし、右端を最高速値とする構成では、作業に使用する低速域の目盛りが粗くなって、細かな車速値が解り難いという課題が有った。
【課題を解決するための手段】
【０００５】
この発明は、上記課題に鑑みて作業車両の車速計を以下のように構成した。
即ち、請求項１の発明では、複数の走行用変速装置（５ａ，５ｂ）を備え、車両の表示部（４）に車速値を半円状または扇状に刻んだ目盛り（１）を用いて表示し、車両の車速に応じて指針（２）を前記目盛り（１）に沿って回動させることで車速を表示する作業車両の車速計において、前記表示部（４）に路上走行を想定した高速用車速値の目盛り（１Ｈ）を表示し、この同芯円外側に、作業走行を想定した低速用車速値の目盛り（１Ｌ）を重ねて表示したことを特徴とする作業車両の車速計。
（請求項１の作用）
以上のように構成した前記作業車両で一般道路等を高速で走行する場合は、前記指針（２）が同芯円内側の高速用車速値の目盛り（１Ｈ）のどの位置を指し示しているかで車速を確認し、低速で作業走行する場合は、前記指針（２）がより大きな目盛りを用いた低速用車速値の目盛り（１Ｌ）のどの位置を指し示しているかで車速を確認する。
【０００６】
また請求項２の発明は、前記同芯円上に重ねて表示した目盛り（１）は、最も減速比の大きい変速装置の変速段数に合わせて複数重ねて表示したことを特徴とする請求項１に記載の作業車両の車速計。
（請求項２の作用）
以上のように構成した請求項２の作業車両では、最も減速比の大きい変速位置の設定位置に合わせて、各車速値の目盛りを選択して車速を確認する。
【発明の効果】
【０００７】
これにより、請求項１の発明では、特に作業速となる低速走行時に、単位幅がより大きく表示された目盛りを用いて車速が表示されるので、車速値の確認が行い易く、ひいては車速を細かく設定することができて作業精度を向上することができる。
【０００８】
また請求項２の発明では、請求項１の効果に加え、例えば高速走行時、中速走行時、低速走行時の各速度目盛りを表示部（４）上に同心円状の内外に重ねて刻み、変速段の段数に合わせて夫れ夫れ車速を表示するので、理解し易く、操作性が良い。
【発明を実施するための最良の形態】
【０００９】
以下、この発明を図面に基づいて具体的に説明する。
この発明に係る実施例は、アナログ式の車速計であって、副変速段に応じて、高速走行を想定した速度目盛りと、作業走行を想定した中速及び低速速度目盛りを、表示部となるメーターパネル４上に内外に重ねて表示する構成とした。またこの発明の車速計の速度目盛りは、それぞれ相当する速度範囲の車速値を、０値から最大値までの範囲で刻んでいるが、作業を想定した速度目盛りは、低速段に相当する目盛りほど円周外側に配置して目盛りの１単位の表示幅を拡大して、更に速度を細かく刻んだ点に特徴がある。従って、この発明では、低速走行時における速度の表示精度が向上し、ひいては作業精度を向上することができる。
【００１０】
最初に作業車両となる乗用管理機８の構成について説明する。
乗用管理機８は、図４に示すように、左右前輪９，９と後輪１０、１０によって支持された車体１１上に前後の透明パネル３６ｆ、３６ｒ及び側部の透明シート３７，３７で構成したキャビン１２を搭載し、該キャビン１２の室内に、操縦席１３、ステアリングハンドル１４、ブレーキペダル１５、その他各種の操作レバー等を装備する構成としている。そして、前記ステアリングハンドル１４の前方下側の位置には、メータパネル４を設けた構成としている。
【００１１】
また前記キャビン１２は、操縦席１３後上方左右に電動ファン１７，１７を備え、機外上部の外気を室内へ送り込み、下方のフロア１８の隙間から機外へ吹き出す構成としている。また前記電動ファン１７，１７は、図５に示すように、内部モータ１９をファン１７の回転軸に連結すると共に、これら一体部品を取り囲むケース２０を前記後パネル３６ｒの開口部に取り付ける構成となっている。また前記ケース２０の外部側には、複数のプレート部材を一体的に回動させるシャッター２１を備えた構成としている。これにより、前記シャッター２１を開けてモータ１９を駆動すると、キャビン１２室内の気圧が上がり、外部の粉塵または散布薬剤が侵入することを防止することができる。また前記乗用管理機８をトラックなどで高速で運搬する場合には、前記シャッター２１を閉めることで、ファン１７の過剰な遊転を防止し、バタツキ音の発生を防止したり、可動部の破損、磨耗を防止することができる。
【００１２】
また前記乗用管理機８の前後輪９，１０は、通常タイヤと水田用タイヤ２３とを選択して取り付ける構成となっており、水田用タイヤ２３は、図６と図７に示すように、車輪のスポーク部を内外のホイールカバー２４で覆う構成となっている。そして前記ホイールカバー２４の円周部には、切欠部２５を形成し、切欠部２５に対してプレート状の開閉蓋２７をスライド自在に取り付ける構成となっている。これにより、水田中の泥や泥水が内部に浸入した場合、この開閉蓋２５を開けて、ホイルカバー２４の内部に浸入している泥や泥水を排出することができる。従って、湿田等を作業した後に、カバー内側に泥や泥水が進入しても、これらを容易に除去でき、作業後に路上を走行している時に、泥や泥水を路上に落しながら走行することを無くすことができる。
【００１３】
次に、図１と図２に基づいて、前記メータパネル４に備えた車速計３と、この車両のＨＳＴ式主変速装置（以下、ＨＳＴ５ａ）と、ギヤ式副変速装置（以下、副変速装置５ｂ）について説明する。
【００１４】
まずエンジンＥの回転動力は、図２に示すように、伝動ケース入力軸４４に伝達され、同軸４４の回転は、第一ギヤ伝動機構４５を介して第一ＰＴＯ軸４６へ伝達すると共に、第二ギヤ伝動機構４７を介して主クラッチ４８に伝達する構成となっている。また前記ＨＳＴ５ａは、前記クラッチ４８に連結したポンプ部４２Ｐと、伝動下手側の副変速装置５ｂ側に出力するモーター部４２Ｍとから構成され、ポンプ４２Ｐとモータ４２Ｍの間に備えた閉回路内に作動油を循環させて出力軸５５の正逆転の切替、及び変速を可能にしている。
【００１５】
そして、前記主変速装置５ａは、キャビン１２室内の主変速レバー６ａをニュートラル位置（Ｎ）を中心に前後に直線状に移動操作する構成とし、前方側に操作すると、前進回転が順次増速され、後方側に操作すると、後進回転が順次増速される構成としている。
【００１６】
また前記ＨＳＴ５ａは、図３に示すように、ポンプ部４２Ｐの上手側において、回転軸４９に冷却ファン５０を取り付け、更に上記ポンプ４２Ｐ側に導風ガイド５１を設けて冷却風を誘導する構成としている。通常、ＨＳＴ５ａは、上述したように、前後進の切替、増減速度の変速時には変速レバー６ａでトラニオン軸を回転操作して、斜板の角度調節をしながら作動油に負荷を掛けてモーター部４２Ｍに循環するが、そのとき、油温が上昇する。そのため、実施例の場合、導風ガイド５１は、冷却ファン５０の近くに誘導可能に開口して設け、循環する作動油の上昇温度を、風速を上げて効率よく冷却する構成として、変速油圧機器の耐久性を向上することができる。
【００１７】
また前記回転軸４９は、この後端部を前記ポンプ部４２Ｐから後方へ延長して第二ＰＴＯ軸５２を接続し、ＰＴＯ系変速機構を経由して後方の作業機を駆動する構成としている。
【００１８】
また前記副変速装置５ｂは、前記モーター部４２Ｍから出力されて伝動される出力軸５５と、下手側の副変速軸５６との間に構成されている。詳しくは、副変速装置５は、大ギヤ５７と小ギヤ５８とが一方の変速軸５５上に左右摺動自在に軸装して設け、上記大ギヤ５７、又は小ギヤ５８に係脱自由に噛合する高速ギヤ５９、中速ギヤ６０、低速ギヤ６１を他方の副変速軸５６に軸装して３段の副変速が得られるように構成している。この場合、高速ギヤ５９は、直接前側の伝動ギヤ６２、中継ギヤ６３を経由して車輪伝動軸６４に伝動され、中速ギヤ６０と低速ギヤ６１とは、後部の中間ギヤ６５を介して車輪伝動軸６４に伝動できる構成になっている。そして、車輪伝動軸６４は、前端から前輪駆動軸６６に接続し、後端から後輪駆動軸６７に接続して構成している。
【００１９】
このように、副変速装置５ｂは、メータパネル４下方に突設した副変速レバー６ｂの前後回動操作によって、高速位置Ｈ（高速ギヤ５９）、中速位置Ｍ（中速ギヤ６０）、低速位置Ｌ（低速ギヤ６１）の３速のいずれかを選択して、車輪伝動軸６４を伝動し、前輪駆動軸６６と後輪駆動軸６７とを伝動して、前後輪９，１０を四輪駆動する構成としている。
【００２０】
次に、車速計３について説明する。
前記車速計３は、図１及び図２に示すように、ステアリングハンドル１４の前方に設けたメータパネル４の中央部に配置する構成となっている。この車速計３は、アナログ式に形成しており、中央下部位置に軸支して車速に応じて円弧上に回転する指針２の先端部に沿わせて速度目盛り１を刻んだ構成としている。そして、前記目盛り１は、内側から高速走行時に使用する高速表示用車速値の目盛り１Ｈと、中速表示用車速値の目盛り１Ｍと、低速走行時に使用する低速表示用車速値の目盛り１Ｌとの順に３つの速度目盛り１を、同心円上に内外重ねて表示した構成としている。この場合、各速度目盛り１Ｈ，１Ｍ，１Ｌは、左端位置を夫れ夫れ０値に設定し、右端位置を各副変速段に応じて最大車速値に設定した構成としている。
【００２１】
詳しくは、３つの目盛り１Ｈ，１Ｍ，１Ｌは、高速表示用車速値の目盛り１Ｈ（０〜１４ｋｍ／ｈ）と、中速表示用車速値の目盛り１Ｍ（０〜４，５ｋｍ／ｈ）と、低速走行時に使用する低速表示用車速値の目盛り１Ｌ（０〜２，５ｋｍ／ｈ）との３速度の車速表示目盛り１を刻んでおり、高速側より中速側、更に中速側より低速表示用車速値の目盛り１Ｌが、不要な高速目盛りを削除して、余ったスペースを使って、低速側の１単位あたりの表示幅を、拡大して刻んだ構成としている。
【００２２】
そして、前記３つの目盛り１Ｈ、１Ｍ、１Ｌは、前記副変速装置５ｂを高速位置Ｈ、中速位置Ｍ、低速位置Ｌに切り替えて変速操作したとき、それぞれ該当する目盛り１を目視して車速を知る構成とした。
【００２３】
また前記車速計３の車速検出部は、ＨＳＴ５ａを構成しているモーター部４２Ｍの出力軸７０の端部に軸着したプーリ７１と、ワンウェイクラッチを内装する回転取出器７２のプーリ７３との間にベルト７４を掛け渡して伝動する構成とし、回転取出機器７２は、入力した回転を回転ケーブル７５の回転を介して、メータパネル４裏側の制御部７６へ伝達する構成としている。
【００２４】
これにより前記制御部７６では、指針２を回転速度に基づいて、車速に対応しながら回転移動することになる。
以上のように構成した車速計３は、副変速装置５ｂの変速段に合わせて、高速走行時、中速走行時、低速走行時の各目盛りを、メーターパネル４上の同芯円上に内側から順に併記して刻み、それぞれ変速段に応じた車速域を目盛りに表示したので、特に低速域の目盛り幅を大きく設定できて、車速の確認が容易である。
【００２５】
また前記車速計３は、メーターパネル４の近傍にＨＳＴ式主変速装置５ａと副変速装置５ｂを切替操作する変速レバー６ａ，６ｂを前後回動自在に併設して備えたものであるので副変速段あるいは主変速位置を確認しながら車速値を調整でき、例えばこれら変速レバー６ａ、６ｂを操縦席１３側方といったメータパネル４に対し離れた場所に設定する構成と比較して、メータパネル４及びレバー６ａ，６ｂの操作性が良い。
【図面の簡単な説明】
【００２６】
【図１】メーターパネルの正面図。
【図２】メーターパネルに接続した走行ミッション装置の断面図。
【図３】静油圧式無段変速装置の導風ガイドの側断面図。
【図４】乗用管理機の側面図。
【図５】電動ファンとシャッターの側断面図。
【図６】水田用タイヤを装着した乗用管理機の一部側面図。
【図７】水田用タイヤの斜面図。
【符号の説明】
【００２７】
１    速度目盛り
１Ｈ  高速表示用車速値
１Ｍ  中速表示用車速値
１Ｌ  低速表示用車速値
２    指針
３    車速計
４    メータパネル
５    副変速装置
Ｈ    高速位置
Ｍ    中速位置
Ｌ    低速位置
【図１】
2006069242.tif 000003
【図２】
2006069242.tif 000004
【図３】
2006069242.tif 000005
【図４】
2006069242.tif 000006
【図５】
2006069242.tif 000007
【図６】
2006069242.tif 000008
【図７】
2006069242.tif 000009